(57)【特許請求の範囲】
【請求項１】
複数の接続端子が並設されたハウジングと、該ハウジングの前方に対向設置された前面板と、カード挿入口を有し前記前面板に出没可能に保持された枠体と、該枠体を前記前面板から突出する方向へ付勢する弾性部材とを備え、
前記枠体は少なくともその前面が導電性を有すると共に、この前面と電気的に導通された導電接触部を有し、かつ、前記枠体の後方側に前記導電接触部と接離可能な接地用部材が設置され、
操作者がカードを手動により前記カード挿入口から挿入して前記ハウジングに装着する過程で、前記枠体の押し込み操作に伴って前記導電接触部が前記接地用部材に接触した後に該カードの端子を前記接続端子に接触させるように構成したことを特徴とするカード用コネクタ装置。
【請求項２】
請求項１の記載において、前記カードと係合したまま該カードの挿入排出方向に沿って往復移動可能なスライド部材と、該スライド部材を前記カードの排出方向へ向けて弾性付勢する付勢部材と、前記カードが前記ハウジングに装着された位置で前記スライド部材を保持するロック機構と、前記カードをその装着位置から一旦奥方へ押し込むことにより前記スライド部材のロック状態を解除するロック解除機構とを備えたことを特徴とするカード用コネクタ装置。
【請求項３】
請求項２の記載において、前記ロック機構と前記ロック解除機構は、前記スライド部材に一端部が軸支され他端部が揺動可能に設けられた係合ピンと、ハウジングに形成され、該係合ピンの他端部を係止して前記カードを装着位置に保持するためのピン係止部を有するハート型カム溝とから構成され、該ハート型カム溝は前記カードを装着位置から排出する過程で前記係合ピンの他端部をガイドする排出経路を有し、前記カードを装着位置から一旦奥方へ押し込むことにより、前記ピン係止部に係止された係合ピンの他端部を前記排出経路へ移動させることで、前記スライド部材のロック状態を解除するように構成したことを特徴とするカード用コネクタ装置。
【請求項４】
請求項１〜３のいずれかの記載において、前記枠体が、前記カード挿入口を有する合成樹脂製の額縁状部材と、該額縁状部材の少なくとも前面と側面を覆う導電性金属板とで構成され、該金属板の側面を前記導電接触部としたことを特徴とするカード用コネクタ装置。
【発明の詳細な説明】
【０００１】
【発明の属する技術分野】
本発明は、ＩＣチップを内蔵した小型メモリカードなどのカードを装着して使用するカード用コネクタ装置に関する。
【０００２】
【従来の技術】
カード用コネクタ装置は、例えばデジタルカメラやＰＤＡ（パーソナル・データ・アシスタンス：携帯端末）などの各種電子機器に搭載され、このカード用コネクタ装置に小型メモリカード等のカードを装着して、電子データを記憶させたり、あるいは小型メモリカードに記憶された電子データの電子機器への読み込みを行わせるようになっている。
【０００３】
小型メモリカードにはＩＣメモリなどのＩＣチップが内蔵されており、このＩＣチップは静電気により容易に破壊されるものであるため、小型メモリカードを取り扱う操作者に帯電した静電気によるＩＣチップの破壊を防止する手段を講じる必要がある。
【０００４】
従来より、このような静電対策を講じたカード用コネクタ装置の一例として、小型メモリカードが挿入される挿入空間を有するハウジングと、このハウジングに固定されて挿入空間内に露出する複数の接続端子と、小型メモリカードを挿入空間へ挿入するためのカード挿入口を有する導電性の枠体とを備えたものが知られている。前記枠体は電子機器のパネルに出没可能に保持されると共に、常時アースに接地されており、かつ、スプリングによってカード排出方向に弾性的に付勢されている。
【０００５】
このように構成されたカードコネクタ装置においては、操作者が小型メモリカードを手動でカード挿入口からハウジング内へ挿入する過程で、枠体の押し込み操作に伴って小型メモリカードの端子を接続端子に接続させ、小型メモリカードの装着が完了した後に押し込み操作力を除去すると、枠体がパネルから突出した状態に復帰するようになっている。したがって、小型メモリカードの排出時において、静電気を帯びた操作者が小型メモリカードに触れようとしても、まずパネルから突出している枠体に触れることになるので、静電気は枠体を通してアースに流れることになる。これにより、小型メモリカードに内蔵されているＩＣチップへの静電気の流れが防止され、小型メモリカードを静電気破壊から保護することができるようになっている。
【０００６】
【発明が解決しようとする課題】
前述した従来のカード用コネクタ装置にあっては、小型メモリカードが装着された状態にあるとき、アースに接地された枠体が小型メモリカードよりもパネルから突出するように構成されているので、小型メモリカードの排出時において、小型メモリカードを静電気破壊から保護することができる。しかしながら、操作者が手動で小型メモリカードを枠体のカード挿入口からハウジング内へ挿入する際に、小型メモリカードは枠体に接触してからハウジング内へ挿入され、このときに枠体は接地された状態にあるため、操作者に帯電した静電気が小型メモリカードを介して枠体に放電されてしまい、小型メモリカードのＩＣチップが破壊されてしまうという問題があった。
【０００７】
本発明は、このような従来技術の実情に鑑みてなされたもので、その目的は、カードの挿入時と排出時のいずれにおいても、カードを静電気破壊から確実に防止することが可能なカード用コネクタ装置を提供することにある。
【０００８】
【課題を解決するための手段】
上記目的を達成するために、本発明によるカードコネクタ装置では、複数の接続端子が並設されたハウジングと、該ハウジングの前方に対向設置された前面板と、カード挿入口を有し前記前面板に出没可能に保持された枠体と、該枠体を前記前面板から突出する方向へ付勢する弾性部材とを備え、前記枠体は少なくともその前面が導電性を有すると共に、この前面と電気的に導通された導電接触部を有し、かつ、前記枠体の後方側に前記導電接触部と接離可能な接地用部材が設置され、操作者がカードを手動により前記カード挿入口から挿入して前記ハウジングに装着する過程で、前記枠体の押し込み操作に伴って前記導電接触部が前記接地用部材に接触した後に該カードの端子を前記接続端子に接触させるように構成した。
【０００９】
このように構成されたカードコネクタ装置では、カードが未挿入の待機状態において枠体は接地されていないので、操作者が手動によりカードをカード挿入口内に挿入するときに、該カードが枠体の前面に接触しても、操作者に帯電した静電気がカードを介して枠体に放電されることはない。そして、カードをカード挿入口からハウジング内に装着する過程において、枠体の押し込み操作に伴って導電接触部を接地用部材に接触させた後に該カードの端子が接続端子に接触するので、操作者に帯電した静電気はカードの端子が接続端子に接触する前に必ず枠体を介してアースされる。また、カードの装着中に枠体は前面板から突出しており、この状態からカードを排出するときにも、枠体の押し込み操作に伴って導電接触部が接地用部材に接触するので、操作者が手動によりカードをカード挿入口から引き出す前に、操作者に帯電した静電気は必ず枠体を介してアースされる。したがって、カードの挿入時だけでなくカードの装着過程や排出時においても、操作者に帯電した静電気はカード中を流れることがなく、内部のＩＣチップの破壊を確実に防止することができる。
【００１０】
上記の構成において、カードと係合したまま該カードの挿入排出方向に沿って往復移動可能なスライド部材と、該スライド部材をカードの排出方向へ向けて弾性付勢する付勢部材と、カードがハウジングに装着された位置でスライド部材を保持するロック機構と、カードをその装着位置から一旦奥方へ押し込むことによりスライド部材のロック状態を解除するロック解除機構とを備えるように構成することが好ましく、このような構成を採用すると、カードをハウジングから排出する過程で、枠体のみの押し込み操作に伴って導電接触部を接地用部材に接触させた後に、該カードを一旦奥方へ押し込んでスライド部材のロック状態を解除して該カードを排出させることができる。したがって、カードのハウジングへの装着と排出をそれぞれ１プッシュ操作で行うことができ、操作性に優れたカード用コネクタ装置を実現できる。
【００１１】
また、上記の構成において、ロック機構とロック解除機構が、スライド部材に一端部が軸支され他端部が揺動可能に設けられた係合ピンと、ハウジングに形成され、該係合ピンの他端部を係止してカードを装着位置に保持するためのピン係止部を有するハート型カム溝とから構成され、該ハート型カム溝がカードを装着位置から排出する過程で係合ピンの他端部をガイドする排出経路を有し、カードを装着位置から一旦奥方へ押し込むことにより、ピン係止部に係止された係合ピンの他端部を排出経路へ移動させることで、スライド部材のロック状態を解除するように構成することが好ましく、このような構成を採用すると、ロック機構とロック解除機構を簡単な構成で実現することができ、操作性に優れたカード用コネクタ装置を低コストで実現できる。
【００１２】
また、上記の構成において、枠体が、カード挿入口を有する合成樹脂製の額縁状部材と、該額縁状部材の少なくとも前面と側面を覆う導電性金属板とで構成され、該金属板の側面を導電接触部とすることが好ましく、このような構成を採用すると、枠体を簡単な構成で実現することができ、カードの静電気破壊を確実に防止可能なカード用コネクタ装置を低コストで実現できる。
【００１３】
【発明の実施の形態】
発明の実施の形態について図面を参照して説明すると、図１は本発明の実施形態例に係るカード用コネクタ装置の平面図、図２は該カード用コネクタ装置の正面図、図３は該カード用コネクタ装置の一部を示す左側面図、図４は該カード用コネクタ装置に備えられるハウジングの平面図、図５は該ハウジングに形成されたガイド溝の説明図、図６は該カード用コネクタ装置に備えられるカバーの平面図、図７は該カバーの正面図、図８は該カード用コネクタ装置に備えられる額縁状部材の平面図、図９は該額縁状部材の正面図、図１０は該額縁状部材の背面図、図１１は該額縁状部材の左側面図、図１２は該額縁状部材の右側面図、図１３は該カード用コネクタ装置に備えられる金属枠の平面図、図１４は該金属枠の正面図、図１５は該金属枠の左側面図、図１６は該金属枠の右側面図、図１７〜図２２は該カード用コネクタ装置における小型メモリカードの装着動作を示す説明図、図２３〜図２７は該カード用コネクタ装置における小型メモリカードの排出動作を示す説明図である。なお、図１８〜図２７においては、簡略化のためにコイルバネ８，１６は省略してある。
【００１４】
図１〜図３に示すように、本実施形態例に係るカード用コネクタ装置１は、主としてハウジング２と、ハウジング２の平面視左側部に設けられた排出機構３と、カバー４と、アース摺動板５（接地用部材）と、パネル６（前面板）と、枠体７と、コイルバネ８（弾性部材）から構成されている。
【００１５】
図４に示すように、ハウジング２は、合成樹脂製のフレーム９と、このフレーム９にインサート成形により固着された複数の接続端子１０とから構成されている。フレーム９の左側部には排出機構３の一部をなす規制壁１１とガイド溝１２が形成されており、また、幅方向の両側壁面にはそれぞれ２つの凸状の係止部９ａ，９ａが形成され、左側壁面の前端部（図４の下端部）にはアース摺動板５の取付部９ｂが形成されている。
【００１６】
接続端子１０はフレーム９の後壁部に一定の間隔で配置されており、フレーム９の後壁の前面から突出した接続端子１０は小型メモリカードの端子に弾接させるためのコンタクト部１０ａを構成し、反対側の壁面からの突出部分はクランク状に形成された半田付け部１０ｂを構成している（図３参照）。これら接続端子１０の各半田付け部１０ｂは、電子機器の図示せぬ回路基板上に設けられたランド部に半田付けされる。図１に示すように、排出機構３は、小型メモリカードの前縁部に係合可能な係合部１３ａを突設したスライド部材１３と、このスライド部材１３に一端部１４ａが軸支され他端部１４ｂを揺動可能とした係合ピン１４と、小型メモリカードの一側縁に設けられている凹部に係合可能でスライド部材１３に保持された弾性片１５と、スライド部材１３をカード排出方向へ向けて弾性付勢するコイルバネ１６（付勢部材）とを備えている。スライド部材１３は両規制壁１１，１１によって横方向の動きが規制され、かつ、小型メモリカードの挿入排出方向に沿って往復移動可能となっている。
【００１７】
図５に示すように、前記ガイド溝１２には、ハート型カム溝１７と、ハート型カム溝１７に連通して前方へ延びる案内溝１８とが設けられている。ハート型カム溝１７は、係合ピン１４の他端部１４ｂの挿入経路１７ａおよび排出経路１７ｂと、該他端部１４ｂを係止して小型メモリカードを装着位置に保持するためのピン係止部１７ｃとを有している。
【００１８】
図６と図７に示すように、合成樹脂製のカバー４は、平面視長方形状の天板１９と、この天板１９の幅方向に対向する左右端縁からそれぞれ直角に折り曲げ形成された側板２０，２１とからなっており、側板２０，２１にはそれぞれ２つの四角孔２２，２２が形成されている。このカバー４はその天板１９がハウジング２の上部を、側板２０，２１がハウジング２の両側面を覆うように装着され、両側板２０，２１の四角孔２２，２２がフレーム９の両側壁面の係止部９ａ，９ａにスナップ止めされることで、カバー４がハウジング２から脱落するのを防止している（図３参照）。そして、ハウジング２とカバーとの間には、小型メモリカードを開口端２３側から挿入するための挿入空間２４が形成されている（図１参照）。
【００１９】
図１と図３に示すように、アース摺動板５は導電性の金属板からなり、一端部には平面視弧状の接触部５ａが、他端部には一側縁から折り曲げて形成した折曲片５ｂがそれぞれ形成されている。この折曲片５ｂは前述した回路基板に設けられたアースに半田付けされる。パネル６は例えばパソコンやＰＤＡなどの各種電気機器の前面パネルであり、ハウジング２と対向配置されている。このパネル６には、後述する枠体７を出没可能に保持するための貫通孔６ａが形成されている。（図１、図２参照）。
【００２０】
枠体７は額縁状部材２５と金属枠２６（導電性金属板）とから構成されている。図８〜図１２に示すように、額縁状部材２５は合成樹脂製のブロック状部材からなり、その前面から背面にかけて貫通する貫通孔２５ａが形成されている。また、額縁状部材２５の両側面には矩形状の凹部２５ｂが形成されており、右側面の後端部にはストッパ部２５ｃが、左側面の端部には有底穴２５ｄがそれぞれ形成されている。図１３〜図１６に示すように、金属枠２６は平面視コの字に折り曲げ形成された導電性の金属板からなり、その両側面には該側面の一部を内側に切り起こした切り起こし片２６ａ，２６ａが、その正面には矩形状の貫通孔２６ｂがそれぞれ形成されている。そして、枠体７は金属枠２６が額縁状部材２５の前面および両側面を覆うように装着されて組み立てられ、このとき金属枠２６に形成した切り起こし片２６ａ，２６ａが額縁状部材２５の両側壁面の凹部２５ｂ，２５ｂにスナップ止めされることにより、金属枠２６の脱落が防止されている（図１，図２参照）。
【００２１】
図１と図２に示すように、このように組み立てられた枠体７はパネル６に形成した貫通孔６ａに出没可能に保持され、かつ、アース摺動板５の接触部５ａが金属枠２６の左側面と接離可能となるように配置される。さらに、コイルバネ８の一端部が額縁状部材２５の有底穴２５ｄに挿着され、コイルバネ８の他端部がフレーム９の前端面に係止される。したがって、枠体７はコイルバネ８によってパネル６から前方に突出する方向に弾性付勢されると共に、そのストッパ部２５ｃがパネル６の背面に当接することにより、パネル６からの脱落が防止される。なお、枠体７の正面開口部はカード挿入口７ａを構成している。
【００２２】
次に、上記のごとく構成されたカード用コネクタ装置１の動作について説明する。まず、小型メモリカードをカード用コネクタ装置１へ装着する挿入過程について主に図１と図１７〜図２２を参照して説明する。
【００２３】
最初に、カード用コネクタ装置１に用いられるカードの一例である小型メモリカードについて図１７を参照して説明すると、この小型メモリカード２７は長方形の板状部材であり、その先端部の下面には幅方向に所定の間隔を有して配置された複数の端子２７ａが設けられている。また、該小型メモリカード２７の一側縁には、スライダ部材１３に保持された弾性片１５と係合可能な凹部２７ｂが設けられている。
【００２４】
図１はカード用コネクタ装置１に対して小型メモリカード２７が装着されていないカード未挿入の待機状態を示しており、この待機状態において、枠体７はコイルバネ８の弾性付勢力によってパネル６から前方に突出しており、枠体７の金属枠２６とアース摺動板５の接触部５ａとが離反しているため、枠体７は接地されていない状態に維持されている。
【００２５】
かかる待機状態からカード用コネクタ装置１に小型メモリカード２７を装着する場合は、まず操作者が小型メモリカード２７を摘み、該カード２７を枠体７のカード挿入口７ａに手動により挿入する。このとき、小型メモリカード２７の端子２７ａが枠体７の前面に接触したとしても、枠体７はアース摺動板５から離反して接地されていないので、操作者に帯電した静電気が小型メモリカード２７と枠体７との間で放電することはなく、該カード２７に内蔵されたＩＣメモリなどのＩＣチップは確実に静電気破壊から保護される。そして、操作者が手動により小型メモリカード２７を図１７に示す位置まで挿入し、さらに該カード２７の後端部を手動により押し込むと、図１８に示すように、小型メモリカード２７の前縁部がスライド部材１３の係合部１３ａに当接すると共に、弾性片１５が該カード２７の凹部２７ｂに係止する。これによりスライド部材１３が該カード２７のさらなる挿入に追従して移動し、図５に矢印Ａで示すように、スライド部材１３に揺動可能に保持された係合ピン１４の先端部１４ｂはハート型カム溝１７の案内溝１８に沿って奥方へ移動していく。
【００２６】
さらに小型メモリカード２７を押し込むと、該カード２７の後端面が枠体７の前面と略同一面となり、これ以降は操作者の手指が枠体７の前面に当接するので、該カード２７と共に枠体７の押し込み操作がなされる。このように枠体７が押し込まれて奥方へ移動すると、図１９に示すように、まず、枠体７の金属枠２６がアース摺動板５の接触部５ａに当接し、枠体７がアース摺動板５を介して接地された後に、図２０に示すように、小型メモリカード２７の端子２７ａが接続端子１０のコンタクト部１０ａに接触する。これら操作により、図５に矢印Ｂで示すように、係合ピン１４の先端部１４ｂはハート型カム溝１７の挿入経路１７ａ内に移動する。
【００２７】
そして、小型メモリカード２７を装着位置よりも若干量奥まで押し込むことにより、図５に矢印Ｃで示すように、係合ピン１４の先端部１４ｂは挿入経路１７ａ内からピン係止部１７ｃを通り越して奥方へ移動する。この状態で押し込み操作力を除去すれば、コイルバネ１６の弾性力でスライド部材１３が手前へ押し戻され、図５に矢印Ｄで示すように、係合ピン１４の先端部１４ｂはピン係止部１７ｃに移動して係止される。したがって、図２１に示すように、小型メモリカード２７は各端子２７ａを接続端子１０のコンタクト部１０ａに接触させた装着位置に保持され、また、枠体７はコイルバネ８の弾性力により手前へ押し戻され、その金属枠２６がアース摺動板５の接触部５ａから離反した後、パネル６の前面から突出した初期位置へと戻り、図２２に示すように、ハウジング２に小型メモリカード２７が装着された状態となる。
【００２８】
このように、小型メモリカード２７をカード挿入口７ａからハウジング２内に装着する過程においても、該カード２７の端子２７ａが接続端子１０のコンタクト部１０ａに接触する前に、枠体７がアース摺動板５を介して接地されるので、操作者に帯電した静電気が小型メモリカード２７と接続端子１０との間で放電することはなく、該カード２７に内蔵されたＩＣメモリなどのＩＣチップは確実に静電気破壊から保護される。
【００２９】
次に、ハウジング２に装着された小型メモリカード２７を排出する過程について主に図２２〜図２７を用いて説明する。
【００３０】
図２２に示す小型メモリカード２７の装着状態から操作者が手動により枠体７を押し込むと、図２３に示すように、まず枠体７の金属枠２６がアース摺動板５の接触部５ａに接触し、枠体７がアース摺動板５を介して接地される。さらに枠体７を押し込むと、図２４に示すように、該カード２７の後端面が枠体７の前面と略同一面となった状態から、図２５に示すように、該カード２７をその装着位置から一旦奥方へ押し込む操作がなされる。このとき、図５に矢印Ｅで示すように、係合ピン１４の他端部１４ｂはピン係止部１７ｃから離脱し、このピン係止部１７ｃよりも奥方の排出経路１７ｂ内に移動する。その結果、スライド部材１３のロック状態が解除されるため、押し込み操作力を除去すると、コイルバネ１６の弾性力でスライド部材１３が手前へ押し戻され、図５に矢印Ｆで示すように、係合ピン１４の他端部１４ｂは排出経路１７ｂ内から案内溝１８内に移動する。これにより、図２６に示すように、小型メモリカード２７の各端子２７ａが接続端子１０のコンタクト部１０ａから離反した後、枠体７の金属枠２６がアース摺動板５の接触部５ａから離反して、枠体７がパネル６の前面から突出した初期位置に戻る。そして、図５に矢印Ｇで示すように、係合ピン１４の先端部１４ｂが案内溝１８の前端まで移動することにより、図２７に示すように、スライド部材１３に係合した小型メモリカード２７はカード挿入口７ａから排出される。
【００３１】
このように小型メモリカード２７をハウジング２から排出する過程において、枠体７の押し込み操作に伴って該枠体７をアース摺動板５に接触させた後に、該カード２７を一旦奥方へ押し込んでスライド部材１３のロック状態を解除し、該カード２７を排出させることができるので、押し込み操作を行う操作者に静電気が帯電していても、その静電気は枠体７からアース摺動板５を介してアースされる。したがって、小型メモリカード２７の排出時においても、操作者に帯電した静電気が小型メモリカード２７と接続端子１０との間で放電することはなく、該カード２７に内蔵されたＩＣメモリなどのＩＣチップは確実に静電気破壊から保護される。
【００３２】
なお、上記実施形態例では、枠体７をハウジング２と分離して電子機器のパネル６側に設置した場合について説明したが、これに限らず、ハウジング２側に設けるようにしてもよい。この場合には、あらかじめ枠体を組み込んだ形でカード用コネクタ装置を構成できるので、電子機器に搭載する場合の作業工程を簡略化することができる。
【００３３】
【発明の効果】
本発明は、以上説明したような形態で実施され、以下に記載されるような効果を奏する。
【００３４】
カード挿入口を有する枠体を前面板に出没可能に保持し、この枠体の押し込み操作に伴って該枠体の導電接触部と接地用部材とが接離するように構成したので、カードの挿入時に操作者に帯電した静電気が該カードを介して枠体に放電されることはなく、また、カードをハウジング内に装着する過程においても、操作者に帯電した静電気はカードの端子が接続端子に接触する前に必ず枠体を介してアースされ、さらに、カードの排出時も操作者が該カードをカード挿入口から引き出す前に、操作者に帯電した静電気は必ず枠体を介してアースされ、それ故、カードの挿入時だけでなくカードの装着過程や排出時においても、操作者に帯電した静電気はカード中を流れることがなく、内部のＩＣチップの破壊を確実に防止することができる。
【図面の簡単な説明】
【図１】本発明の実施形態例に係るカード用コネクタ装置の平面図である。
【図２】該カード用コネクタ装置の正面図である。
【図３】該カード用コネクタ装置の一部を示す左側面図である。
【図４】該カード用コネクタ装置に備えられるハウジングの平面図である。
【図５】該ハウジングに形成されたガイド溝の説明図である。
【図６】該カード用コネクタ装置に備えられるカバーの平面図である。
【図７】該カバーの正面図である。
【図８】該カード用コネクタ装置に備えられる額縁状部材の平面図である。
【図９】該額縁状部材の正面図である。
【図１０】該額縁状部材の背面図である。
【図１１】該額縁状部材の左側面図である。
【図１２】該額縁状部材の右側面図である。
【図１３】該カード用コネクタ装置に備えられる金属枠の平面図である。
【図１４】該金属枠の正面図である。
【図１５】該金属枠の左側面図である。
【図１６】該金属枠の右側面図である。
【図１７】該カード用コネクタ装置における小型メモリカードの装着動作を示す説明図である。
【図１８】該カード用コネクタ装置における小型メモリカードの装着動作を示す説明図である。
【図１９】該カード用コネクタ装置における小型メモリカードの装着動作を示す説明図である。
【図２０】該カード用コネクタ装置における小型メモリカードの装着動作を示す説明図である。
【図２１】該カード用コネクタ装置における小型メモリカードの装着動作を示す説明図である。
【図２２】該カード用コネクタ装置における小型メモリカードの装着動作を示す説明図である。
【図２３】該カード用コネクタ装置における小型メモリカードの排出動作を示す説明図である。
【図２４】該カード用コネクタ装置における小型メモリカードの排出動作を示す説明図である。
【図２５】該カード用コネクタ装置における小型メモリカードの排出動作を示す説明図である。
【図２６】該カード用コネクタ装置における小型メモリカードの排出動作を示す説明図である。
【図２７】該カード用コネクタ装置における小型メモリカードの排出動作を示す説明図である。
【符号の説明】
１  カードコネクタ装置
２  ハウジング
１０  接続端子
１０ａ  コンタクト部
１２  ガイド溝
１７  ハート型カム溝
１７ａ  挿入経路
１７ｂ  排出経路
１７ｃ  ピン係止部
３  排出機構
１３  スライド部材
１４  係合ピン
１４ａ  一端部
１４ｂ  他端部
１６  コイルバネ（付勢部材）
４  カバー
５  アース摺動板（接地用部材）
６  パネル（前面板）
７  枠体
７ａ  カード挿入口
２５  額縁状部材
２６  金属枠（導電性金属板）
８  コイルバネ（弾性部材）
２７  小型メモリカード（カード）
【図１】
0003797957.tif 000002
【図２】
0003797957.tif 000003
【図３】
0003797957.tif 000004
【図４】
0003797957.tif 000005
【図５】
0003797957.tif 000006
【図６】
0003797957.tif 000007
【図７】
0003797957.tif 000008
【図８】
0003797957.tif 000009
【図９】
0003797957.tif 000010
【図１０】
0003797957.tif 000011
【図１１】
0003797957.tif 000012
【図１２】
0003797957.tif 000013
【図１３】
0003797957.tif 000014
【図１４】
0003797957.tif 000015
【図１５】
0003797957.tif 000016
【図１６】
0003797957.tif 000017
【図１７】
0003797957.tif 000018
【図１８】
0003797957.tif 000019
【図１９】
0003797957.tif 000020
【図２０】
0003797957.tif 000021
【図２１】
0003797957.tif 000022
【図２２】
0003797957.tif 000023
【図２３】
0003797957.tif 000024
【図２４】
0003797957.tif 000025
【図２５】
0003797957.tif 000026
【図２６】
0003797957.tif 000027
【図２７】
0003797957.tif 000028